(57)【特許請求の範囲】
【請求項１】
支柱と、この支柱に対して一端を中心として垂直面内で回動自在に配されたアーム手段と、アーム手段の他端に取り付けられた扉と、この扉及びアーム手段の自重に抗して扉の跳ね上げ方向に弾性力をアーム手段に付与する弾性力付与手段と、アーム手段の回動を行うアーム回動手段と、アーム手段の回動に抗する粘性剪断抵抗力をアーム手段に付与する粘性剪断抵抗力付与手段とを具備しており、粘性剪断抵抗力付与手段は、アーム手段の回動と共に回転するようにアーム手段の一端に固着された一方の隙間形成体と、この一方の隙間形成体との間で隙間を形成すると共に、当該一方の隙間形成体に対して相対的に回転自在に配されて、支柱に支持された他方の隙間形成体と、隙間に充填された粘性体とを具備しており、弾性力付与手段は、一方の隙間形成体に固着されたカム板と、カム板に一端が連結されていると共に中間がカム板のカム縁に当接して曲げ案内されるチェーンと、一端がチェーンの他端に連結されていると共に他端が支柱に連結されたコイルばね手段とを具備しており、カム縁は、チェーンの一端側に配されていると共にアーム手段の回動中心を中心とした円弧縁と、チェーンの他端側に配されていると共に円弧縁に連続した直線縁とを具備しており、隙間形成体の相対回転中心とアーム手段の回動中心とが同心上に配されている跳ね上げ式門扉。
【請求項２】
コイルばね手段は、同心に配された一対のコイルばねを具備しており、この一対のコイルばねは、互いにその弾性係数が異なっている請求項１に記載の跳ね上げ式門扉。
【請求項３】
弾性力付与手段は、ガススプリングを具備している請求項１又は２に記載の跳ね上げ式門扉。
【請求項４】
他方の隙間形成体は、一方向クラッチを介して支柱に支持されている請求項１から３のいずれか一項に記載の跳ね上げ式門扉。
【請求項５】
一方向クラッチは、アーム手段の一方の方向の回動において、他方の隙間形成体の支柱に対する回転を阻止し、アーム手段の他方の方向の回動において、他方の隙間形成体の支柱に対する回転を許容するようになっている請求項４に記載の跳ね上げ式門扉。
【請求項６】
アーム手段の一方の方向の回動が閉扉動作における回動である請求項５に記載の跳ね上げ式門扉。
【請求項７】
アーム回動手段は、電動モータと、この電動モータの出力回転軸の回転を一方の隙間形成体に伝達する回転伝達手段とを具備している請求項１から６のいずれか一項に記載の跳ね上げ式門扉。
【請求項８】
回転伝達手段は、電動モータの出力回転軸に固着された一方の傘歯車と、この傘歯車に噛合って一方の隙間形成体に固着された他方の傘歯車とを具備している請求項７に記載の跳ね上げ式門扉。
【発明の詳細な説明】
【０００１】
【発明の属する技術分野】
本発明は、車庫等の出入口に用いて好適な跳ね上げ式門扉に関する。
【０００２】
【発明が解決しようとする課題】
この種の門扉としては、特開平７−２７９５６４号公報等に記載のような、支柱と、一端で支柱に回動自在に支持されたアームと、アームの他端に取り付けられた扉と、この扉及びアームの自重に抗して扉の跳ね上げ方向に弾性力をアームに付与するコイルばね及びガススプリングからなる弾性力付与手段とを具備したものが知られている。
【０００３】
ところで、上記公報記載の類いの跳ね上げ式門扉は、コイルばねとガススプリングとによって、アーム及び扉のそれぞれの自重に抗するような弾性的な跳ね上げ力をアームに付与して、手動による開扉を容易にしているが、開扉に際して扉にかける手動力が大きい場合には、弾性的な跳ね上げ力に加えてこの大きな手動力がアームに加わるため、アームが勢いよく回動されることとなり、アームがストッパ等に激突して、不快な騒音を発し、扉の寿命を縮めたりする虞がある。また、手動による閉扉の際にも、同じく大きな手動力を扉にかけると、同様な不都合が生じる虞がある。
【０００４】
そして、跳ね上げ式門扉は、通常、温度変化の激しい戸外に配されるため、コイルばね又はガススプリングもまた温度変化の激しい環境に晒されることになり、その弾性力の温度依存性により、上記の不都合が季節により極端に生じる虞がある。
【０００５】
以上の不都合は、手動開扉に代えて、電動モータを用いた自動開閉においても同様に生じ、電動モータにより自動的にアームを回動させて自動開閉扉を行わせる場合、アーム等の重量に基づく慣性により及びコイルばね又はガススプリングの弾性力の温度依存性により、全閉又は全開時に扉が地面又はストッパ等に激突し、大きな音を発生させる虞がある。
【０００６】
本発明は、前記諸点に鑑みてなされたものであって、その目的とするところは、アーム手段及び扉に急激な回動を生じさせることなしに、スムーズに扉を開閉することができ、アーム手段の激突による不快音の発生をなくし得、寿命の長い跳ね上げ式門扉を提供することにある。
【０００７】
【課題を解決するための手段】
本発明の跳ね上げ式門扉は、支柱と、この支柱に対して一端を中心として垂直面内で回動自在に配されたアーム手段と、アーム手段の他端に取り付けられた扉と、この扉及びアーム手段の自重に抗して扉の跳ね上げ方向に弾性力をアーム手段に付与する弾性力付与手段と、アーム手段の回動を行うアーム回動手段と、アーム手段の回動に抗する粘性剪断抵抗力をアーム手段に付与する粘性剪断抵抗力付与手段とを具備しており、この跳ね上げ式門扉において、粘性剪断抵抗力付与手段は、アーム手段の回動と共に回転するようにアーム手段の一端に固着された一方の隙間形成体と、この一方の隙間形成体との間で隙間を形成すると共に、当該一方の隙間形成体に対して相対的に回転自在に配されて、支柱に支持された他方の隙間形成体と、隙間に充填された粘性体とを具備しており、弾性力付与手段は、一方の隙間形成体に固着されたカム板と、カム板に一端が連結されていると共に中間がカム板のカム縁に当接して曲げ案内されるチェーンと、一端がチェーンの他端に連結されていると共に他端が支柱に連結されたコイルばね手段とを具備しており、カム縁は、チェーンの一端側に配されていると共にアーム手段の回動中心を中心とした円弧縁と、チェーンの他端側に配されていると共に円弧縁に連続した直線縁とを具備しており、隙間形成体の相対回転中心とアーム手段の回動中心とが同心上に配されている。
【０００８】
本発明では、弾性力付与手段は、好ましい例では、コイルばね手段及びガススプリングのうちの少なくとも一方を具備している。弾性力付与手段にコイルばね手段を用いる場合には、当該コイルばね手段を同心に配された一対のコイルばねから構成して、この一対のコイルばねの弾性係数を互いに異ならせると、大部分の跳ね上げ力を一方のコイルばねに担当させ、他方のコイルばねを微調整用として用いることができ、好ましい。
【０００９】
本発明では、他方の隙間形成体は、支柱に対して回転しないように、当該支柱に固着して支持されていてもよいが、これに代えて、一方向クラッチを介して支柱に支持されていてもよい。この一方向クラッチは、アーム手段の一方の方向の回動において、他方の隙間形成体の支柱に対する回転を阻止し、アーム手段の他方の方向の回動において、他方の隙間形成体の支柱に対する回転を許容するようになっている。ここで、好ましい例では、アーム手段の一方の方向の回動が閉扉動作における回動であるが、本発明は、これに限定されないのである。
【００１０】
本発明のアーム回動手段は、電動モータと、この電動モータの出力回転軸の回転を一方の隙間形成体に伝達する回転伝達手段とを具備しており、ここで好ましくは、回転伝達手段は、電動モータの出力回転軸に固着された一方の傘歯車と、この傘歯車に噛合って一方の隙間形成体に固着された他方の傘歯車とを具備しているが、本発明では、これらに限定されず、アーム回動手段としては、出力回転軸が一方の隙間形成体に固着された、即ち直結された電動モータから構成してもよく、回転伝達手段としては、チェーンと、このチェーンが掛け渡されて、一方が電動モータの出力回転軸に、他方が一方の隙間形成体に固着された一対のスプロケットホイール等とを具備して構成されていてもよい。
【００１１】
【発明の実施の形態】
次に本発明の実施の形態を、図に示す好ましい実施例に基づいて更に詳細に説明する。なお、本発明はこれら実施例に何等限定されないのである。
【００１２】
【実施例】
図１から図４において、本例の跳ね上げ式門扉１は、支柱２及び３と、一端４及び５で支柱２及び３のそれぞれに垂直面内で回動自在、すなわちＲ方向に回動自在に支持された一対のアーム手段６及び７と、アーム手段６及び７のそれぞれの他端８及び９に取り付けられた扉１０と、扉１０及びアーム手段６及び７の自重に抗して扉１０の跳ね上げ方向に弾性力をアーム手段６及び７のそれぞれに付与する弾性力付与手段１１及び１２と、アーム手段６及び７の回動を行うアーム回動手段１３と、アーム手段６及び７の回動に抗する粘性剪断抵抗力をアーム手段６及び７のそれぞれに付与する粘性剪断抵抗力付与手段１４及び１５とを具備している。
【００１３】
本例では、支柱２側に弾性力付与手段１１、アーム回動手段１３及び粘性剪断抵抗力付与手段１４が、支柱３側に弾性力付与手段１２及び粘性剪断抵抗力付与手段１５がそれぞれ設けられているが、この逆であってもよく、また、支柱３側にも、アーム回動手段１３を設けて、両アーム回動手段を同期して作動させるようにしてもよく、更には、支柱２及び３側のうちいずれか一方にのみに弾性力付与手段及び粘性剪断抵抗力付与手段を設けて構成してもよく、この場合、他方にのみアーム回動手段を設けて構成してもよく、また、支柱２及び３側のうちいずれか一方に弾性力付与手段を、他方に、粘性剪断抵抗力付与手段を設けて構成してもよい。以下、弾性力付与手段、粘性剪断抵抗力付与手段については、支柱２側について説明し、支柱３側は、同様に構成されているので説明を省略する。
【００１４】
支柱２は本例では中空体からなり、この中空体の中に、弾性力付与手段１１、粘性剪断抵抗力付与手段１４及び後述する伝達手段１５が収容されている。
【００１５】
アーム手段６は、断面矩形状のアーム部材２１を具備しており、アーム部材２１の一端２２（アーム手段６の一端４でもある）には孔２３が形成されている。本例では、アーム手段６は、一本のみのアーム部材２１を具備して構成されているが、これに代えて、特開平７−２７９５６４号公報に記載のような複数本のアーム部材を具備して構成されてもよい。なお、扉１０とアーム部材２１との間には、補強部材２４が取り付けられている。
【００１６】
本例の扉１０は、目隠し用の多数の横格子２５を有した扉本体２６と、扉本体２６の下縁に取り付けられた脚２７とを具備しており、閉扉の際には脚２７が地面に当接するようになっている。なお、本発明の扉は、横格子２５を有したものに限定されず、縦格子を取り付けたもの等その他のものであってもよい。
【００１７】
弾性力付与手段１１は、隙間形成体６１に固着されたカム板３１と、カム板３１にピン３２を介してピストンロッド３３の一端３４が回動自在に連結され、シリンダ３５の下端３６が、支柱２に取り付けられたブラケット３７にピン３８を介して回動自在に連結されたガススプリング３９と、カム板３１にピン４０を介して一端４１が連結され、中間４２がカム板３１のカム縁４３に当接して曲げ案内され、他端４４にピン４５を介して回動自在に連結された連結具４６を有したチェーン４７と、それぞれの一端５１及び５２が連結具４６の孔５３に引っかけられ、それぞれの他端５４及び５５が、支柱２に取り付けられたブラケット５６に取り付けられた連結具５７の孔５８に引っかけられたコイルばね手段としての一対のコイルばね５９及び６０とを具備しており、同心に配された一対のコイルばね５９及び６０は、互いにその弾性係数が異なるものからなっている。カム縁４３は、チェーン４７の一端４１側に配されていると共に後述する隙間形成体６１の回転中心６２（アーム手段６の回動中心６２と同心）を中心とした円弧縁６３と、チェーン４７の他端側４４に配されていると共に円弧縁６３に連続した直線縁６４とを具備している。
【００１８】
連結具５７は、ねじ部６５を有しており、ねじ部６５にばね力調整用のナット６６が螺合されて、ブラケット５６に取り付けられており、ナット６６のねじ部６５への螺合量を変えることにより、コイルばね５９及び６０によって生起される弾性力を調整することができる。また、本例では、弾性力付与手段１１が一対のコイルばね５９及び６０を具備しているため、大部分の跳ね上げ力を一方のコイルばね５９に担当させ、他方のコイルばね６０を微調整用として用いることができる。ガススプリング３９並びにコイルばね５９及び６０は、それぞれの弾性力によって、図２において時計回りのＲ方向にカム板３１を回転させるようになっている。
【００１９】
アーム回動手段１３は、支柱２に取り付けられた回動力発生源としての可逆電動モータ６７と、電動モータ６７の出力回転軸６８の回転をアーム手段６に伝達する伝達手段１５と、扉１０の完全開扉直前及び完全閉扉直前を夫々検出する検出手段７１と、扉１０の開扉において、アーム手段６及び７のＲ方向の一定量以上の回動を阻止する回動阻止手段７２と、アーム回動手段１３の起動、停止を行わせる起動、停止手段７３とを具備している。
【００２０】
伝達手段１５は、出力回転軸６８に固着された傘歯車７５と、傘歯車７５に噛み合って、隙間形成体６１に固着された傘歯車７６とからなる歯車機構７７とを具備しており、電動モータ６７の出力回転軸６８の回転による傘歯車７５の回転で、傘歯車７６を回転させて、これにより隙間形成体６１を回転させて、電動モータ６７の出力回転軸６８の回転をアーム手段６のアーム部材２１に伝達する。したがって、電動モータ６７の作動により、アーム部材２１がＲ方向に回動され、跳ね上げ式門扉１は、開閉扉されるようになっている。
【００２１】
検出手段７１は、隙間形成体６１に固着された作動板８２の突出部８１と、完全閉扉直前、例えば、閉扉動作においてアーム部材２１の回動角が完全閉扉手前となる位置において作動板８２の突出部８１を検出するように、支柱２に取り付けられた検出器としてのリミットスイッチ８３と、扉１０の完全開扉直前、例えば、開扉動作においてアーム部材２１の回動角が完全開扉手前となる位置において突出部８１を検出するように、支柱２に取り付けられた検出器としてのリミットスイッチ８４とを具備している。
【００２２】
回動阻止手段７２は、カム板３１に一体的に形成された折り曲げ突起９１と、扉１０の開扉動作において突起９１に当接して、カム板３１のそれ以上の回転を阻止し、これにより同じくアーム手段６のそれ以上の回動を阻止するストッパ９２とを具備しており、ストッパ９２は、支柱２に取り付けられている。回動阻止手段７２は、突起９１のストッパ９２への当接により、アーム手段６が図２において時計周りのＲ方向にそれ以上回動しないようにする。
【００２３】
起動、停止手段７３は、それぞれ支柱２に手動操作可能に取り付けられた開扉押しボタンスイッチ９５、閉扉押しボタンスイッチ９６及び停止スイッチ９７を具備しており、スイッチ９５、９６及び９７の夫々は、制御手段（図示せず）に電気的に接続されており、スイッチ９５を押下することにより、扉１０を開放させるように、電動モータ６７を作動させることができ、スイッチ９６を押下することにより、扉１０を閉鎖させるように、電動モータ６７を作動させることができ、電動モータ６７の作動中、スイッチ９７を作動させることにより、電動モータ６７の作動を停止させることができるようになっている。
【００２４】
アーム回動手段１３は、扉１０の完全閉扉位置又は途中開扉位置で開扉押しボタンスイッチ９５が押下されることにより、電動モータ６７を作動させて伝達手段１５を介してアーム部材２１を図２において時計周りのＲ方向に回転させ、リミットスイッチ８４からの突出部８１の検出信号又は停止スイッチ９７からの押下信号により電動モータ６７を非作動にさせ、扉１０の完全開扉位置又は途中開扉位置で閉扉押しボタンスイッチ９６が押下されることにより、電動モータ６７を作動させて伝達手段１５を介してアーム部材２１を図２において反時計周りのＲ方向に回転させ、リミットスイッチ８３からの突出部８１の検出信号又は停止スイッチ９７からの押下信号により電動モータ６７を非作動にさせる。
【００２５】
粘性剪断抵抗力付与手段１４は、アーム部材２１の一端２２に固着された一方の隙間形成体６１と、隙間形成体６１との間で円筒状の隙間１０１を形成すると共に、隙間形成体６１に対して相対的にＲ方向に回転自在に配されて、支柱２に支持された他方の隙間形成体１０３と、隙間１０１に充填された粘性体１０４と、一方向クラッチ１０５とを具備しており、隙間形成体６１及び１０３の相対回転中心６２とアーム手段６の回動中心６２とは同心上に配されている。
【００２６】
隙間形成体６１は、環状のフランジ部１１１及び円筒部１１２を一体的に有した一方の半割ハウジング１１３と、環状のフランジ部１１４、円筒部１１５及び軸部１１６を一体的に有した他方の半割ハウジング１１７とを具備しており、半割ハウジング１１３と１１７とは、フランジ部１１１と１１４とで突き合わされて、フランジ部１１１と１１４とにおいてリベットなどにより互いに固着されており、隙間形成体６１は、円筒部１１５においてブッシュ１１８を介して支柱２にＲ方向に回転自在に支持されており、軸部１１６がアーム部材２１の孔２３に嵌合されて、これによりアーム手段６は、一端４で支柱２にＲ方向に回転自在に支持されている。隙間形成体６１において、そのフランジ部１１４には、カム板３１がボルトなどにより固着されており、その円筒部１１２には、傘歯車７６及び傘歯車７６を介して作動板８２が固着されている。
【００２７】
隙間形成体１０３は、円柱状の本体１２１と、本体１２１の両端面に一体的に形成された軸部１２２及び１２３とを具備しており、一方の軸部１２２において軸受１２４を介して円筒部１１５にＲ方向に回転自在に支持されており、他方の軸部１２３において一方向クラッチ１０５を介して支柱２に支持されている。
【００２８】
粘性体１０４が充填された隙間１０１は、円筒部１１２及び円筒部１１５の夫々の内周面と本体１２１の外周面との間に形成されている。半割ハウジング１１３と１１７との間及び隙間形成体６１と１０３との間の夫々には、粘性体１０４の漏出を阻止するシール１２６が嵌装されている。
【００２９】
粘性剪断抵抗力付与手段１４は、隙間形成体６１に対する隙間形成体１０３のＲ方向の回転により、粘性体１０４に粘性剪断抵抗力を発生させて、この発生した粘性剪断抵抗力に基づいて、アーム手段６に粘性剪断抵抗力を付与する。
【００３０】
一方向クラッチ１０５は、アーム手段６の一方の方向、本例では閉扉動作におけるＲ方向の回動において、隙間形成体１０３の支柱２に対する当該Ｒ方向の回転を阻止し、アーム手段６の他方の方向、本例では開扉動作におけるＲ方向の回動において、隙間形成体１０３の支柱２に対する当該Ｒ方向の回転を許容するようになっている。
【００３１】
一方向クラッチ１０５により、閉扉動作において隙間形成体１０３に対して隙間形成体６１が相対的にＲ２方向に回転される結果、粘性体１０４が剪断されて、その回転に抗する粘性剪断抵抗力が発生する一方、開扉動作において隙間形成体１０３も隙間形成体６１と共にＲ方向に回転される結果、粘性体１０４の剪断が生じなくなり、その回転に抗する粘性剪断抵抗力が生じなくなる。
【００３２】
以上のように形成された跳ね上げ式門扉１では、扉１０の完全閉鎖の状態で、スイッチ９５が押下されると、電動モータ６７が作動されて、その出力回転軸６８の回転で、傘歯車７５及び７６並びに隙間形成体６１を介してアーム部材２１が回動される。アーム部材２１の回動で扉１０が持ち上げられると共にカム板３１も同様に回転される。この回転において、コイルばね５９及び６０の弾性引っ張り力及びガススプリング３９の空気弾性伸張力により、扉１０等の自重が適宜打ち消されて、開扉が困難なく行えるようになっており、したがって、電動モータ６７は、それほど大きな出力を有したものを用いなくてよく、小型の小出力のものでもよいことになる。
【００３３】
扉１０が更に持ち上げられて、回転する作動板８２の突出部８１がリミットスイッチ８４により検出されると、リミットスイッチ８４からの検出結果に基づいて、電動モータ６７の作動が停止されて、出力回転軸６８の回転が停止され、これにより扉１０は全開状態に維持される。
【００３４】
扉１０の全開状態でスイッチ９６が押下されると、再び電動モータ６７が作動されて、その出力回転軸６８の前記とは逆の回転で、傘歯車７５及び７６並びに隙間形成体６１を介してアーム部材２１が逆回動される。アーム部材２１の逆回動で扉１０が下げられると共にカム板３１も同様に前記と逆に回転される。扉１０が下げられて、回転する作動板８２の突出部８１がリミットスイッチ８３により検出されると、リミットスイッチ８３からの当該検出結果に基づいて、電動モータ６７の作動が停止されて、その出力回転軸６８の回転が停止され、これにより扉１０は、完全閉鎖状態に維持される。
【００３５】
更に、跳ね上げ式門扉１では、閉扉において隙間形成体１０３に対する隙間形成体６１のＲ方向の相対回転が生じ、これにより粘性体１０４の粘性剪断に基づく粘性剪断抵抗力が隙間形成体６１に付与されることになる。したがって、閉扉動作において、リミットスイッチ８３からの検出結果に基づく電動モータ６７の作動停止後、慣性によりアーム部材２１が更にある程度の速度で回転されようとしても、隙間形成体６１に付与される粘性剪断抵抗力によりこれが阻止され、而して、地面への扉１０の激突が防止されることになる。また、温度などの変動でアーム手段６及び扉１０の自重と弾性力付与手段１１の弾性引っ張り力との微妙なバランスが崩れて、電動モータ６７の作動停止後に、弾性力付与手段１１の弾性引っ張り力によりアーム部材２１が更にある程度の速度で回転されようとしても、上記と同様にして、隙間形成体６１に付与される粘性剪断抵抗力によりこれが阻止され、而して、地面への扉１０の激突が防止されることになる。粘性体１０４により生じる粘性剪断抵抗力の大きさは、隙間形成体１０３に対する隙間形成体６１の相対回転速度に比例するため、上記の効果を効果的に生じさせることができる。
【００３６】
上記の例では、弾性力付与手段１１をガススプリング３９並びにコイルばね５９及び６０により具体化したが、いずれか一つのみで弾性力付与手段１１を具体化してもよい。
【００３７】
また上記の例において、アーム手段６の開扉動作におけるＲ方向の回動において、隙間形成体１０３の支柱２に対する当該Ｒ方向の回転を阻止し、アーム手段６の閉扉動作におけるＲ方向の回動において、隙間形成体１０３の支柱２に対する当該Ｒ方向の回転を許容するように一方向クラッチ１０５を設定して配してもよく、更には、一方向クラッチ１０５を用いることなしに、軸部１２３を回転しないように支柱２に固着してもよく、このようにすると開扉時における突起９１のストッパ９２への激突を効果的に回避し得る。
【００３８】
更に、粘性剪断抵抗力付与手段１４を図５に示すように構成してもよい。図５に示す粘性剪断抵抗力付与手段１４は、隙間形成体６１に対応する隙間形成体２１１と、隙間形成体１０３に対応する隙間形成体２１２と、隙間１０１に対応する隙間２１３に充填された粘性体１０４と、一方向クラッチ(図４参照)とを具備している。隙間形成体２１１は、フランジ部１１１及び１１４に対応するフランジ部２１４と、円筒部１１２及び１１５に対応する円筒部２１５と、軸部１１６に対応する軸部２１６とを一体的に具備しており、円筒部２１５の内周面には、複数の環状の凹所２１７が形成されており、隙間形成体２１２は、本体１２１に対応する本体２２１と、本体２２１の両端面に一体的に形成された軸部１２２及び１２３に対応する軸部２２２及び２２３とを具備しており、本体２２１の外周面には、隙間２１３を形成するように凹所２１７の夫々に配された複数の環状の突起２２４が一体的に形成されている。図５に示す粘性剪断抵抗力付与手段１４によれば、より効果的に粘性剪断抵抗力を発生することができ、より小型の粘性剪断抵抗力付与手段を得ることができる。
【００３９】
【発明の効果】
以上のように本発明によれば、アーム手段及び扉に急激な回動を生じさせることなしに、スムーズに扉を開閉することができ、アーム手段の激突による不快音の発生をなくし得、寿命の長い跳ね上げ式門扉を提供することができる。
【図面の簡単な説明】
【図１】本発明の好ましい一実施例の斜視図である。
【図２】図１に示す実施例の支柱上部の側面説明図である。
【図３】図１に示す実施例の支柱下部の側面説明図である。
【図４】図１に示す実施例の支柱上部の正面説明図である。
【図５】図１に示す実施例に適用し得る他の粘性剪断抵抗力付与手段の正面説明図である。
【符号の説明】
１  跳ね上げ式門扉
２  支柱
６  アーム手段
１０  扉
１１  弾性力付与手段
１３  アーム回動手段
１４  粘性剪断抵抗力付与手段
６１、１０３  隙間形成体
１０４  粘性体
【図１】
0003796955.tif 000002
【図２】
0003796955.tif 000003
【図３】
0003796955.tif 000004
【図４】
0003796955.tif 000005
【図５】
0003796955.tif 000006